(57)【要約】【課題】オゾンを含有した温風を剣道具に均一に当てて剣道具をまんべんなく乾燥，消臭することができる剣道具の乾燥，消臭装置を提供する。【解決手段】ボックス内にヒータと、このヒータで発生する温熱を撹拌するファンと、オゾン発生器とを内蔵し、ボックス内に汗などの悪臭成分を含む剣道具を収納するようにし、ヒータで発生する温熱およびオゾン発生器から発生するオゾンにより剣道具を乾燥させるとともに剣道具を消臭させるので、オゾンを含有した温風を剣道具に均一に当ててまんべんなく乾燥，消臭することができる。【選択図】図２
2013039240.tif 000002
【特許請求の範囲】
【請求項１】
ボックス内にヒーターと、このヒーターで発生する温熱を撹拌するファンと、オゾン発生器とを内蔵し、ボックス内に汗などの悪臭成分を含む剣道具を収納するようにし、前記ヒーターで発生する温熱およびオゾン発生器から発生するオゾンにより剣道具を乾燥させるとともに消臭させるように構成したことを特徴とする剣道具の乾燥消臭装置。
【請求項２】
ボックス内底面から浮かした高さ位置に金網が配設され、剣道具は前記金網上に載置されることを特徴とする剣道具の乾燥消臭装置。
【発明の詳細な説明】
【技術分野】
【０００１】
本発明は、オゾン発生器を備えた剣道具の乾燥消臭装置に関し、詳しくは装置に収容した剣道具をヒータを用いて乾燥し、オゾンを用いて消臭をする技術に関する。
【背景技術】
【０００２】
従来、ファンとヒータとを備えた乾燥機によって乾燥し、オゾン発生器によってオゾンを発生させて消臭する装置はあった。
特許文献１には、乾燥機本体と乾燥用マットとが可撓ダクトによって連結されたオゾン発生装置付乾燥機が記載されている。乾燥機本体にはヒータと送風装置とが設置され、可撓ダクトの上流側にはオゾン発生器が設けられている。オゾンを含んだ温風が可撓ダクトを介して乾燥用マット内部に供給されて、乾燥用マット内部に収容されたふとん等の被乾燥物が乾燥される。
【先行技術文献】
【特許文献】
【０００３】
【特許文献１】実開昭６３−１２３２９４号公報
【発明の概要】
【発明が解決しようとする課題】
【０００４】
特許文献１に記載のオゾン発生装置付乾燥機では、乾燥用マットに収容されているふとん等は、乾燥用マットの内面に当接している部分には温風が当たらない。さらに乾燥用マット内に押し込まれた温風は撹拌されることがないので、ふとん等の被乾燥物に均一に温風を当てることができない。
【０００５】
本発明の目的は、オゾンを含有した温風を剣道具に均一に当てて、剣道具をまんべんなく乾燥消臭することができる剣道具の乾燥消臭装置を提供することである。
【課題を解決するための手段】
【０００６】
請求項１に記載の発明は、ボックス内にヒータと、このヒータで発生する温熱を撹拌するファンと、オゾン発生器とを内蔵し、ボックス内に汗などの悪臭成分を含む剣道具を収納するようにし、前記ヒータで発生する温熱およびオゾン発生器から発生するオゾンにより剣道具を乾燥させるとともに消臭させるものである。
請求項２に記載の発明は、ボックス内底面から浮かした高さ位置に金網が配設され、剣道具は前記金網上に載置されるものである。
【発明の効果】
【０００７】
請求項１の発明によれば、オゾン発生器から発生するオゾンを含有した温熱はファンによって撹拌されるので、オゾンを含有した温風を剣道具に均一に当てて剣道具をまんべんなく乾燥，消臭することができる。
【図面の簡単な説明】
【０００８】
【図１】本発明に係るオゾン発生装置付き乾燥機の斜視図である。
【図２】扉を開けた状態のオゾン発生装置付き乾燥機の斜視図である。
【図３】蓋板を開けた状態のオゾン発生装置付き乾燥機の斜視図である。
【図４】オゾン発生装置付き乾燥機の構成部品を示す斜視図である。
【図５】リミットスイッチの取り付け状態を示す斜視図である。
【図６】オゾン発生装置付き乾燥機の回路図である。
【発明を実施するための形態】
【０００９】
以下、本発明の一実施の形態について図１〜図６に基づいて説明する。図１は本発明に係るオゾン発生装置付き乾燥機１の斜視図である。図２は扉１０を開けた状態のオゾン発生装置付き乾燥機１の斜視図である。図３は蓋板１２を開けた状態のオゾン発生装置付き乾燥機１の斜視図である。図４はオゾン発生装置付き乾燥機１の構成部品を示す斜視図である。図５はリミットスイッチ１７の取り付け状態を示す斜視図である。図６はオゾン発生装置付き乾燥機１の回路図である。
【００１０】
剣道具の乾燥消臭装置であるオゾン発生装置付き乾燥機１は、ハウジング２と、ハウジング２内に設置されるヒータ３と、ハウジング２内に設置されヒータ３が発生する温熱を撹拌する撹拌ファン４と、ハウジング２内に設置されオゾンを発生するオゾン発生器５と、ハウジング２内の温風をハウジング２の外部に排出する排気ファン６とを備える。
【００１１】
ハウジング２は、たとえば木製の板材を用いて箱形に形成されるが、金属板を用いるもの、あるいは樹脂成型するものであっても良い。ハウジング２の前面には開口部７が形成され、ハウジング２内部であって開口部７の下方には金網８と９とが設置される。金網８の網目は金網９の網目よりも小さく形成されており、金網８と９とは、金網８の上に金網９が重ねられた状態でハウジング２の内側に支持される。開口部７には扉１０が開閉自在に取り付けられる。剣道具は開口部７からハウジング２の内部に挿入され、金網８，９に載置される。剣道具としては、たとえば面およびこてが挙げられる。面およびこては家庭の洗濯機で洗濯することが難しく、汗や汚れが付着したまま洗濯しないで長時間使用されることが多いので、悪臭を発し易い。
【００１２】
ハウジング２の上端は開口しており、開口部１１には蓋板１２が開閉自在に取り付けられている。ヒータ３は、蓋板１２の裏面側に設置される。本実施の形態においては、ヒータ３として石英管ヒータが用いられる。オゾン発生器５と、撹拌ファン４と、排気ファン６とはハウジング２の底部に設置される。本実施形態においてはオゾン発生器５として、台湾フーフォング有限公司オゾナイザーＦＨＶ−ＤＣ１２Ｖ−５が用いられ、ハウジング２の後面１３底部に取り付けられる。撹拌ファン４はオゾン発生器５の近傍であって底面１４の後側角部に設置される。ハウジング２の内側であって扉１０の蝶番側近傍にはリミットスイッチ１７が取り付けられる。リミットスイッチ１７は扉１０の開閉に伴って作動する。
【００１３】
図６に基本回路構成を示す。まず、金網８，９に剣道具を載置するためにハウジング２の扉１０を開けると、リミットスイッチ１７がＯＦＦとなる。リミットスイッチ１７がＯＦＦとなると、リミットスイッチ１７に接続されたリレー１８が無励磁となり、リレー接点１９がＯＦＦとなる。タイマー接点２０はＯＦＦとなり初期化される。
【００１４】
剣道具を金網８，９に載置した後に扉１０を閉じると、リミットスイッチ１７がＯＮとなり、これに接続されたリレー１８が励磁されてリレー接点１９がＯＮとなる。タイマー２１が通電されるとともに、撹拌ファンモータ２２と排気ファンモータ２３とが通電されて、撹拌ファン４と排気ファン６とが駆動される。ハウジング２底部には熱伝対２４が設けられており、この熱伝対２４と連結された温度調節器２５がＯＮとなりヒータ３が駆動される。さらに、パワーサプライ２６で１００Ｖから１２Ｖに変換された１２Ｖ電源２７によってオゾン発生器５が駆動される。
【００１５】
オゾン発生器５が発生するオゾンは、空気よりも比重が大きいためハウジング２の底部に沈降する。撹拌ファン４とハウジング２底面１４との間には隙間が設けられており、撹拌ファン４は、この隙間からハウジング２の底部に沈降したオゾンを取り込み、オゾンを含有した上向きの温風を発生させる。これによって、オゾンを含有した温風はハウジング２内に供給される。
【００１６】
排気ファン６は、底面１４の前側角部に設置されており、排気ファン６と撹拌ファン４とは底面１４において概ね対角線上に位置している。なお、排気ファン６の底面１４側には、温風を排出するための図示しない排気口が設けられている。撹拌ファン４によって上方に送られた温風はハウジング２の内部を巡った後、排気ファン６によってハウジング２の底面１４排気口から排出される。
【００１７】
剣道具は、オゾン発生器５，撹拌ファン４および排気ファン６の上方に位置する金網８，９に載置されるので、剣道具の下面側を含んだ全面にオゾンを含有した温風が当てられる。これによって剣道具をまんべんなく効率良く乾燥，消臭されることができる。
【００１８】
タイマー２１の設定時間が経過すると、タイマー２１がタイマー接点２０をＯＦＦにして、リレー接点１９がＯＦＦとなる。温度調節器２５がＯＦＦとなりヒータ３への通電が停止されるとともに、撹拌ファンモータ２２および排気ファンモータ２３への通電が停止され、撹拌ファン４と排気ファン６との駆動が停止される。さらに、パワーサプライ２６への通電が止まり、オゾン発生器５が停止する。
【００１９】
【表１】
2013039240.tif 000003
本発明の第１の実施例を表１に示す。臭度測定は１月の下旬から２月に掛けて行った。まず剣道の稽古終了時（処理前）に剣道具の臭気を測定し、稽古終了から１４時間経過後に剣道具をオゾン発生装置付き乾燥機１に収容し、乾燥，消臭を行った。乾燥，消臭は、ハウジング２内の温度を４０℃に設定して４時間行った。乾燥，消臭が終了した時点(処理直後)でハウジング２から取り出し、臭気を測定した。さらに処理後２時間経過した時点（処理２時間後）で臭気を測定した。臭気測定具として、新コスモス電機製ニオイセンサＸＰ−３２９１１１を用いた。なお、稽古が終了した直後から剣道具をオゾン発生装置付き乾燥機１に収容せず、１４時間経過後に行ったのは、オゾン発生装置付き乾燥機１を無人の状態で夜中に稼働させることを避けて、翌朝から行ったためである。
【００２０】
評価として、臭いが非常に良く取れており殆ど臭わないものをＡとし、臭いがかなり良く取れているものをＢとし、臭いが少し取れたものをＣとし、臭いに殆ど変化がなかったものをＤとし、臭いが強くなったものをＥとした。９つのサンプルのうちの３つがＡ評価、６つがＢ評価という結果を得ており、Ｃ評価，Ｄ評価あるいはＥ評価のものはなかった。
【００２１】
【表２】
2013039240.tif 000004
本発明の第２の実施例を表２に示す。表２は、剣道具をオゾン発生装置付き乾燥機１に収容し、乾燥，消臭を行った剣道具について、ＪＩＳＬ１９０２（繊維製品の抗菌性試験方法及び抗菌効果）に基づいた測定結果を示す。殺菌活性値が０以上の場合に抗菌，消臭効果が認められ、精菌活性値が２．２以上の場合に抗菌，消臭効果が認められるものである。
【００２２】
黄色ぶどう球菌，肺炎かん球菌，ＭＲＳＲ，大腸菌および緑膿菌において、殺菌活性値については２．８以上の数値が得られ、精菌活性値については５．２以上の数値が得られており、明らかに抗菌，消臭効果があることが解かる。
【００２３】
このように、ボックスであるハウジング２内にヒータ３と、このヒータ３で発生する温熱を撹拌する撹拌ファン４と、オゾン発生器５とを内蔵し、ハウジング２内に汗などの悪臭成分を含む剣道具を収納するようにし、ヒータ３で発生する温熱およびオゾン発生器５から発生するオゾンにより剣道具を乾燥させるとともに剣道具を消臭させるので、オゾンを含有した温風を剣道具に均一に当ててまんべんなく乾燥，消臭することができる。
【００２４】
さらに、ハウジング２底面１４から浮かした高さ位置に金網８，９が配設され、剣道具は金網８，９上に載置されるので、剣道具をさらにまんべんなく乾燥，消臭することができる。
【符号の説明】
【００２５】
１    オゾン発生装置付き乾燥機
２    ハウジング
３    ヒータ
４    撹拌ファン
５    オゾン発生器
６    排気ファン
７，１１    開口部
８，９    金網
１０    扉
１２    蓋板
１３    後面
１４    底面
１５    運転スイッチ
１７    リミットスイッチ
１８    リレー
１９    リレー接点
２０    タイマー接点
２１    タイマー
２２    撹拌ファンモータ
２３    排気ファンモータ
２４    熱伝対
２５    温度調節器
２６    パワーサプライ
２７    １２Ｖ電源
【図１】
2013039240.tif 000005
【図２】
2013039240.tif 000006
【図３】
2013039240.tif 000007
【図４】
2013039240.tif 000008
【図５】
2013039240.tif 000009
【図６】
2013039240.tif 000010